(57)【要約】【課題】ＧＰＳを用いることなく使用国を判定して使用国に応じた処理を行うことが可能なプロジェクタ等を提供すること。【解決手段】プロジェクタ１００が、電源１１０の国ごとの使用電圧を示すデータを含む判定データ１２２を記憶する記憶部１２０と、電源１１０に供給される電圧と、判定データ１２２とに基づいて該当国を判定する判定部１５０と、当該該当国に応じた処理を行う処理部１６０とを含んで構成される。【選択図】図１
2008060928.tif 000002
【特許請求の範囲】
【請求項１】
電子機器において、
国ごとの使用電圧を示すデータを含む判定データを記憶する記憶部と、
前記電子機器に供給される電圧と、前記判定データとに基づいて該当国を判定する判定部と、
当該該当国に応じた処理を行う処理部と、
を含むことを特徴とする電子機器。
【請求項２】
請求項１に記載の電子機器において、
世界標準時を計時する計時部と、
前記電子機器の使用国における日時を示す日時情報を取得する取得部と、
を含み、
前記判定データは、前記世界標準時と前記日時との時差を国ごとに示すデータを含み、
前記判定部は、前記世界標準時と前記日時との時差と、前記電圧と、前記判定データとに基づいて前記該当国を判定することを特徴とする電子機器。
【請求項３】
請求項２に記載の電子機器において、
前記取得部は、電波時計機能を有し、電波を受信することによって前記日時情報を取得することを特徴とする電子機器。
【請求項４】
請求項１〜３のいずれかに記載の電子機器において、
前記判定データは、国ごとの言語を示すデータを含み、
前記処理部は、前記該当国の言語を用いた画像を生成することを特徴とする電子機器。
【請求項５】
請求項１〜４のいずれかに記載の電子機器を有するプロジェクタ。
【請求項６】
コンピュータを、
前記電子機器に供給される電圧と、国ごとの使用電圧を示すデータを含む判定データとに基づいて該当国を判定する判定部と、
当該該当国に応じた処理を行う処理部として機能させることを特徴とするプログラム。
【請求項７】
コンピュータにより読み取り可能なプログラムを記憶した情報記憶媒体であって、
請求項６に記載のプログラムを記憶した情報記憶媒体。
【発明の詳細な説明】
【技術分野】
【０００１】
本発明は、使用国に応じた処理を行うための電子機器、プロジェクタ、プログラムおよび情報記憶媒体に関する。
【背景技術】
【０００２】
従来、ユーザーは、プロジェクタで表示される言語を選択する場合、メニュー画像で一覧表示されている言語名一覧から所望の言語名を選択する必要があった。しかし、この言語名一覧には２０種類程度の言語名が表示され、表示順序も固定になっている。このため、ユーザーは、所望の言語名を選択するため、言語名一覧が表示された状態でスクロール操作を行って選択操作を行う必要があった。
【０００３】
このような問題を解決するため、プロジェクタの使用国を自動的に判定して言語名一覧の表示を変更する手法が考えられる。例えば、特開平９−６５２２７号公報では、電源の周波数を判別してエリア別放送局一覧の地域限定を行うことが記載されている。また、特開２００１−２３０６８９号公報では、測位用衛星信号を受信して現在位置を検出し、データベースを参照して上記現在位置に該当する放送局のチャンネル情報を取得することが記載されている。
【特許文献１】特開平９−６５２２７号公報
【特許文献２】特開２００１−２３０６８９号公報
【発明の開示】
【発明が解決しようとする課題】
【０００４】
しかし、電源の周波数は多くの国で共通であるため、周波数から使用国を特定することは困難である。また、ＧＰＳ(Global Positioning System)を使用するためにはＧＰＳ受信ユニット等の比較的高価で複雑な機器が必要となる。
【０００５】
本発明の目的は、ＧＰＳを用いることなく使用国を判定して使用国に応じた処理を行うことが可能な電子機器、プロジェクタ、プログラムおよび情報記憶媒体を提供することである。
【課題を解決するための手段】
【０００６】
上記課題を解決するため、本発明に係る電子機器は、電子機器において、
国ごとの使用電圧を示すデータを含む判定データを記憶する記憶部と、
前記電子機器に供給される電圧と、前記判定データとに基づいて該当国を判定する判定部と、
当該該当国に応じた処理を行う処理部と、
を含むことを特徴とする。
【０００７】
また、本発明に係るプロジェクタは、上記電子機器を有することを特徴とする。
【０００８】
また、本発明に係るプログラムは、コンピュータを、
前記電子機器に供給される電圧と、国ごとの使用電圧を示すデータを含む判定データとに基づいて該当国を判定する判定部と、
当該該当国に応じた処理を行う処理部として機能させることを特徴とする。
【０００９】
また、本発明に係る情報記憶媒体は、コンピュータにより読み取り可能なプログラムを記憶した情報記憶媒体であって、
上記プログラムを記憶したことを特徴とする。
【００１０】
本発明によれば、電子機器等は、電圧に基づいて使用国を判定することができるため、ＧＰＳを用いることなく使用国を判定して使用国に応じた処理を行うことができる。
【００１１】
また、前記電子機器および前記コンピュータは、世界標準時を計時する計時部と、
前記電子機器の使用国における日時を示す日時情報を取得する取得部と、
を含み、
前記判定データは、前記世界標準時と前記日時との時差を国ごとに示すデータを含み、
前記判定部は、前記世界標準時と前記日時との時差と、前記電圧と、前記判定データとに基づいて前記該当国を判定してもよい。
【００１２】
これによれば、電子機器等は、電圧に加えて時差も判定することにより、より正確に使用国を判定できる。
【００１３】
また、前記取得部は、電波時計機能を有し、電波を受信することによって前記日時情報を取得してもよい。
【００１４】
これによれば、電子機器等は、電波時計機能を用いて使用国を判定することができる。
【００１５】
また、前記判定データは、国ごとの言語を示すデータを含み、
前記処理部は、前記該当国の言語を用いた画像を生成してもよい。
【００１６】
これによれば、電子機器等は、該当国の言語を用いた画像を生成することができるため、ユーザビリティーを向上させることができる。
【発明を実施するための最良の形態】
【００１７】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００１８】
図１は、本実施例におけるプロジェクタ１００の機能ブロック図である。
【００１９】
電子機器の一種であるプロジェクタ１００は、電源１１０と、該当国（使用国）を判定するための判定データ１２２を記憶する記憶部１２０と、電源１１０に供給される電圧、判定データ１２２等に基づいて該当国を判定する判定部１５０と、当該該当国に応じた処理を行う処理部１６０とを含んで構成されている。
【００２０】
また、プロジェクタ１００は、世界標準時を計時する計時部１４０と、プロジェクタ１００の使用国における日時を示す日時情報を取得する取得部１３０と、表示部１９０とを含んで構成されている。
【００２１】
なお、これらの各部を実装するためのハードウェアとしては、例えば、以下のものを採用可能である。
【００２２】
図２は、本実施例におけるプロジェクタ１００のハードウェアブロック図である。
【００２３】
例えば、記憶部１２０としてはＲＡＭ９３０、ＲＯＭ９４０等、取得部１３０としては電波時計９７０等、計時部１４０としてはタイマー９６０等、判定部１５０としてはＣＰＵ９１０等、処理部１６０としては画像処理回路９５０等、表示部１９０としては液晶パネル９２０等を用いてもよい。なお、ＣＰＵ９１０等の各部はシステムバス９８０を介して相互にデータをやりとりすることが可能である。
【００２４】
また、判定部１５０等としてプロジェクタ１００の有するコンピュータを機能させるためのプログラムを情報記憶媒体９００から読み取って判定部１５０等の機能をプロジェクタ１００に実装してもよい。なお、判定データ１２２があらかじめプロジェクタ１００に記憶されていない場合、プロジェクタ１００は、情報記憶媒体９００から判定データ１２２を読み取ってもよい。
【００２５】
このような情報記憶媒体９００としては、例えば、ＣＤ−ＲＯＭ、ＤＶＤ−ＲＯＭ、ＩＣカード、ＲＯＭ、ＲＡＭ、メモリカード、ＨＤＤ等のレーザーや磁気等を用いた記憶媒体を適用できる。また、情報記憶媒体９００からのプログラムの読み取り方式は、接触式でも非接触式でもよい。
【００２６】
ここで、判定データ１２２についてより詳細に説明する。
【００２７】
図３は、本実施例における判定データ１２２のデータ構造を示す図である。
【００２８】
判定データ１２２は、該当国ごとの言語、電圧、時差等を示すデータである。
【００２９】
例えば、日本の場合、言語が日本語で、電圧が１００Ｖで、時差が９時間である。ここで、時差は計時部１４０によって計時されているグリニッジ標準時（世界標準時）と該当国の基準地点（例えば、首都等）における標準日時との差を示す。なお、サマータイム等の日時の補正は考慮しないものとする。
【００３０】
次に、これらの各部を用いた処理の流れについて説明する。
【００３１】
図４は、本実施例における使用国判定処理の流れを示すフローチャートである。
【００３２】
まず、判定部１５０は、電源１１０の電圧を測定し（ステップＳ１）、当該電圧を検索キーとして判定データ１２２を検索し、該当国を判定する（ステップＳ２）。
【００３３】
そして、判定部１５０は、該当国が１か国かどうかを判定する（ステップＳ３）。
【００３４】
例えば、図３に示す例では、電圧が１００Ｖであれば、該当国は日本だけであり、１か国である。また、例えば、電圧が２２０Ｖであれば、該当国はギリシア、中国、ドイツであり、３か国である。
【００３５】
該当国が１か国の場合、処理部１６０は、判定部１５０によって決定された該当国（使用国）に応じた言語でメニュー画像を生成し、表示部１９０は、当該メニュー画像を表示する（ステップＳ９）。
【００３６】
例えば、該当国が日本の場合、日本語のメニュー画像が表示される。
【００３７】
一方、該当国が複数ある場合（例えば、電圧が２２０Ｖの場合等）、取得部１３０は電波時計９７０を用いて日時情報を取得する（ステップＳ４）。
【００３８】
判定部１５０は、計時部１４０からの世界標準時と、取得部１３０からの日時情報で示される日時との時差を演算する（ステップＳ５）。なお、取得部１３０は、電波時計９７０を用いて使用場所における日時を取得する。
【００３９】
そして、判定部１５０は、当該時差を検索キーとして判定データ１２２におけるステップＳ２で該当国と判定されたレコードを絞り込み検索し、該当国を判定する（ステップＳ６）。
【００４０】
そして、判定部１５０は、該当国が１か国かどうかを判定する（ステップＳ７）。
【００４１】
例えば、図３に示す例では、電圧が２２０Ｖで時差が２時間であった場合はギリシアが該当国になる。
【００４２】
ステップＳ７の判定においても該当国が複数ある場合、処理部１６０は、複数の該当国から使用国を選択させるための候補画像を生成し、表示部１９０は、当該候補画像を表示する（ステップＳ８）。
【００４３】
図５は、本実施例における候補画像３００の一例を示す図である。
【００４４】
例えば、ステップＳ６における該当国がＡ、Ｂ、Ｃの３か国である場合、Ａ、Ｂ、Ｃの３か国からカーソル画像等によって１か国を選択させるための候補画像３００が表示される。ユーザーは、リモコンやプロジェクタ１００本体の操作ボタンを用いて複数の候補から使用国を選択する。
【００４５】
ステップＳ７において該当国が１か国であった場合またはステップＳ８で使用国を選択させた場合、処理部１６０は、決定された該当国（使用国）に応じた言語でメニュー画像を生成し、表示部１９０は、当該メニュー画像を表示する（ステップＳ９）。
【００４６】
以上のように、本実施例によれば、プロジェクタ１００は、電圧と時差に基づいて使用国を判定することができるため、ＧＰＳを用いることなく使用国を判定して使用国に応じた処理を行うことができる。
【００４７】
また、ユーザーは、使用国が１か国に決定されるか、あるいは、候補画像３００が表示される場合であっても、少数の候補しか表示されないため、画像をスクロールさせる必要はなく、カーソル画像の移動も少なくて済むため、より少ない操作で使用国を決定することができる。これにより、プロジェクタ１００は、言語選択時等におけるユーザビリティーを向上させることができる。
【００４８】
なお、本発明の適用は上述した実施例に限定されず、種々の変形が可能である。
【００４９】
例えば、図５に示す候補画像３００ではユーザーに国を選択させたが、ユーザーに言語を選択させてもよい。
【００５０】
図６は、本実施例における候補画像３０２の他の一例を示す図である。
【００５１】
例えば、処理部１６０は、判定データ１２２を参照し、該当国の言語が英語、ドイツ語、フランス語のいずれかである場合、当該言語の一覧を示す候補画像３０２を生成してもよい。
【００５２】
これによれば、プロジェクタ１００は、例えば、１か国で複数の言語が使用されている場合であっても、ユーザーの所望の言語をより少ない操作で選択させることができる。
【００５３】
なお、プロジェクタ１００は、候補画像３００、３０２では該当国または該当国の言語のみを候補として表示しているが、該当国以外の国または言語も候補として表示してもよい。この場合、プロジェクタ１００は、該当国または該当国の言語を上位に表示してもよい。
【００５４】
なお、該当国が１つもない場合、処理部１６０は、該当国がないことを示す文字列を含む候補画像を生成し、表示部１９０は、当該候補画像を表示してもよい。また、該当国が１つもない場合、処理部１６０は、初期値として設定されている該当国の言語でメニュー画像等を生成してもよい。
【００５５】
また、プロジェクタ１００は、図４に示す例では、電圧、時差の順番で検索しているが、検索順序は逆でもよく、電圧と時差を組み合わせた値を検索キーとして判定データ１２２を検索してもよい。
【００５６】
また、プロジェクタ１００は、判定データ１２２に各国で使用される電源１１０の周波数の値を含め、電源１１０の電圧と周波数を組み合わせて該当国を検索してもよい。
【００５７】
また、上述した実施例では、取得部１３０は、電波時計９７０を用いて日時情報を取得したが、例えば、ネットワークを介して日時情報の提供装置から使用国の基準地点（例えば、首都等）の日時情報を取得してもよい。
【００５８】
また、世界標準時はグリニッジ標準時には限定されず、種々の基準日時を採用可能である。
【００５９】
また、上述した実施例では、プロジェクタ１００は、国単位で処理を行ったが、国よりも小さい地域、都市等単位で処理を行ってもよい。
【００６０】
また、該当国に応じた処理は、該当国の言語を用いたメニュー画像の生成には限定されず、例えば、ビデオ信号方式（例えば、ＮＴＳＣ、ＮＴＳＣ４．４３、ＰＡＬ、Ｍ−ＰＡＬ、Ｎ−ＰＡＬ、ＰＡＬ６０、ＳＥＣＡＭ等）の決定、ＯＳＤ（On Screen Display）のデザイン、使用色の変更、ロゴマークの変更、画像の色合い、明るさ等の初期値の変更、無線ＬＡＮの設定（使用する周波数の調整等）等であってもよい。
【００６１】
また、図３に示す電圧、時差はそれぞれが１つの数値で表されているが、該当範囲を示すデータであってもよい。具体的には、例えば、電圧が９５〜１０５等、時差が８〜１０等であってもよい。
【００６２】
また、電子機器は、プロジェクタ１００には限定されず、例えば、ＴＶ、ＰＣ（Personal Computer）、液晶モニタ、携帯電話、ゲーム装置、ＰＤＡ（Personal Digital Assistants）等の種々の言語でメニュー画像を表示する種々の機器が該当する。
【００６３】
また、プロジェクタ１００は、液晶プロジェクタには限定されず、例えば、米国テキサス・インスツルメンツ社が開発したＤＭＤ(Digital Micromirror Device)を用いたプロジェクタ、ＣＲＴプロジェクタ、有機ＥＬを用いたプロジェクタ等であってもよい。
【図面の簡単な説明】
【００６４】
【図１】本実施例におけるプロジェクタの機能ブロック図である。
【図２】本実施例におけるプロジェクタのハードウェアブロック図である。
【図３】本実施例における判定データのデータ構造を示す図である。
【図４】本実施例における使用国判定処理の流れを示すフローチャートである。
【図５】本実施例における候補画像の一例を示す図である。
【図６】本実施例における候補画像の他の一例を示す図である。
【符号の説明】
【００６５】
１００  プロジェクタ（電子機器）、１１０  電源、１２０  記憶部、１３０  取得部、１４０  計時部、１５０  判定部、１６０  処理部、１９０  表示部、３００、３０２  候補画像、９００  情報記憶媒体、９７０  電波時計
【図１】
2008060928.tif 000003
【図２】
2008060928.tif 000004
【図３】
2008060928.tif 000005
【図４】
2008060928.tif 000006
【図５】
2008060928.tif 000007
【図６】
2008060928.tif 000008